(57)【要約】【課題】ネットワーク上の通信端末からのメッセージを放送された映像データとともに表示する。【解決手段】放送受信部１０１は、放送局から送信される放送データを受信する。放送データに含まれる映像データは映像表示部１０２に表示される。メッセージ受信部１０３は、ネットワークを介して接続された通信端末から、その通信端末で発生したイベントを通知するメッセージを受信する。放送データは、メッセージ受信部１０３で受信したメッセージを映像データとともに映像表示部１０２に表示するための表示条件を含む。表示制御部１０４は、映像表示部１０２に表示されている映像データに対応する表示条件にしたがって、メッセージ受信部１０３で受信したメッセージを映像データともに映像表示部１０２に表示するように表示映像を制御する。【選択図】図１
2008072380.tif 000002
【特許請求の範囲】
【請求項１】
放送局から送信される映像データを、ネットワークを介して接続された通信端末から送
信されるメッセージとともに表示可能な映像表示装置であって、
映像データと、その映像データとともに表示するメッセージの表示条件を示す第１の付
加情報とを含む放送データを受信する第１の受信手段と、
前記第１の受信手段で受信した映像データを表示する表示手段と、
ネットワークを介して接続された通信端末から送信されるメッセージを受信する第２の
受信手段と、
前記第２の受信手段で受信したメッセージを前記第１の付加情報が示す表示条件にした
がって前記映像データとともに前記表示手段に表示するように制御する制御手段と
を備えることを特徴とする映像表示装置。
【請求項２】
前記第１の付加情報が示す表示条件が、前記映像データとともに表示可能なメッセージ
に関する条件であり、
前記制御手段は、前記第２の受信手段で受信したメッセージが前記第１の付加情報が示
す表示条件を満たす場合に、前記メッセージを前記映像データとともに前記表示手段に表
示するように制御する
ことを特徴とする請求項１に記載の映像表示装置。
【請求項３】
前記第２の受信手段で受信したメッセージが前記第１の付加情報が示す表示条件を満た
さない場合に、前記第２の受信手段で受信したメッセージを記憶する記憶手段
をさらに備えることを特徴とする請求項２に記載の映像表示装置。
【請求項４】
前記制御手段は、さらに、前記記憶手段に記憶されているメッセージが前記第１の付加
情報が示す表示条件を満たす場合に、前記メッセージを前記映像データとともに前記表示
手段に表示するように制御する
ことを特徴とする請求項３に記載の映像表示装置。
【請求項５】
前記第１の付加情報が示す表示条件が、前記映像データとともに表示するメッセージの
表示方法に関する条件であり、
前記制御手段は、記第２の受信手段で受信したメッセージと前記第１の付加情報が示す
表示条件とから前記メッセージの表示方法を特定し、特定された表示方法により前記メッ
セージを前記映像データとともに前記表示手段に表示するように制御する
ことを特徴とする請求項１に記載の映像表示装置。
【請求項６】
前記表示条件は、前記映像データに含まれるシーンごとに設定され、
前記制御手段は、前記表示手段に表示されている映像データのシーンに対応する表示条
件にしたがって、前記第２の受信手段で受信したメッセージを前記映像データとともに前
記表示手段に表示するように制御する
ことを特徴とする請求項１に記載の映像表示装置。
【請求項７】
前記映像データに含まれるシーンは、前記映像データを時間で区分することで設定され
、
前記制御手段は、時間で区分された映像データのシーンに対応する表示条件にしたがっ
て、前記第２の受信手段で受信したメッセージを前記映像データとともに前記表示手段に
表示するように制御する
ことを特徴とする請求項６に記載の映像表示装置。
【請求項８】
前記映像データに含まれるシーンを特定する情報は、第２の付加情報として前記放送デ
ータに含まれ、
前記制御手段は、前記第２の付加情報を用いて前記表示手段に表示されている映像デー
タのシーンを特定する
ことを特徴とする請求項６に記載の映像表示装置。
【請求項９】
前記放送データは、さらに、放送局から非同期的に送信されるイベント発生通知を前記
第１の受信手段が受信した場合のメッセージの表示条件を示す第３の付加情報を含み、
前記制御手段は、前記第１の受信手段が前記イベント発生通知を受信した場合には、前
記第２の受信手段で受信したメッセージを前記第３の付加情報が示す表示条件にしたがっ
て前記映像データとともに前記表示手段に表示するように制御する
ことを特徴とする請求項１に記載の映像表示装置。
【請求項１０】
放送局から送信される映像データを、ネットワークを介して接続された通信端末から送
信されるメッセージとともに表示可能な映像表示装置の映像表示方法であって、
映像データと、その映像データとともに表示するメッセージの表示条件を示す第１の付
加情報とを含む放送データを受信し、
前記受信した映像データを表示し、
ネットワークを介して接続された通信端末から送信されるメッセージを受信し、
前記受信したメッセージを前記第１の付加情報が示す表示条件にしたがって前記映像デ
ータとともに表示する
ことを特徴とする映像表示方法。
【請求項１１】
コンピュータに、放送局から送信される映像データを、ネットワークを介して接続され
た通信端末から送信されるメッセージとともに受信して表示させる機能を実現させる映像
表示プログラムであって、
映像データと、その映像データとともに表示するメッセージの表示条件を示す第１の付
加情報とを含む放送データを受信させる機能と、
前記受信した映像データを表示させる機能と、
ネットワークを介して接続された通信端末から送信されるメッセージを受信させる機能
と、
前記受信したメッセージを前記第１の付加情報が示す表示条件にしたがって前記映像デ
ータとともに表示させる機能と
を実現させることを特徴とする映像表示プログラム。
【発明の詳細な説明】
【技術分野】
【０００１】
本発明は、放送された映像データを受信して表示するための映像表示装置、映像表示方
法および映像表示プログラムに係わり、特にネットワークを介して接続された通信端末か
ら送信されるメッセージを映像データとともに表示可能な映像表示装置、映像表示方法お
よび映像表示プログラムに関する。
【背景技術】
【０００２】
近年、ネットワーク通信可能なＡＶ機器や白物家電などの開発が進んでいる。このよう
なネットワーク機器を制御するためのプロトコルとしては、ＵＰｎＰ（Ｕｎｉｖｅｒｓａ
ｌ  Ｐｌｕｇ  ａｎｄ  Ｐｌａｙ）やＥＣＨＯＮＥＴ（登録商標）などが規格化されてい
る。
【０００３】
一方、コンテンツの多様化が進んでいる。例えば、デジタル放送では、デジタル放送向
けコンテンツ記述言語ＢＭＬ（Ｂｒｏａｄｃａｓｔ  Ｍａｒｋｕｐ  Ｌａｎｇｕａｇｅ）
の利用により、従来よりもインタラクティブ性の高いコンテンツを提供するサービスが始
まっている。また、デジタル放送などで放送された映像データを受信して表示する映像表
示機器の高機能化も進んでおり、ネットワーク対応のデジタルテレビなども登場し、ホー
ムネットワークの普及も進んでいる。
【０００４】
これらネットワーク機器を利用した技術のひとつとして、例えば、ネットワークを介し
て接続された洗濯機や電子レンジのような通信端末から、洗濯の終了や調理完了を示す情
報を通知させ、これをテレビのような映像表示機器で受信して画面上に表示し、ユーザに
その通知を素早く適切に知らせる技術が開示されている。
【０００５】
例えば、特許文献１では、宅内にガス漏れなどを検知する異常検知装置を設置してホー
ムネットワークに接続しておき、異常検知装置が異常を検知した場合には、検知した異常
の情報をホームネットワーク上のテレビに表示させる技術が開示されている。
【０００６】
しかしながら、例えば、特許文献１に開示されたような従来技術では、テレビなどの映
像表示機器に表示されている映像データの内容によって、他の通信端末から通知されたメ
ッセージを表示するかどうかを切替えることはできなかった。すなわち、例えば、ドラマ
のような番組を視聴中に、非常に盛り上がるシーンで、映像と全く関係なく「洗濯が終了
しました」といった緊急性を要しない通知がテレビ画面に表示されてしまうといった問題
が生じる可能性があった。
【０００７】
このような問題は、放送データを送信する側（放送コンテンツ製作者やスポンサーなど
）にとっても望ましくない。例えば、ドラマなどの非常に盛り上がるシーンでメッセージ
が表示されれば、ドラマなどの製作者の意図が著しく損なわれることになる。また、ＣＭ
の放映中にメッセージが表示されてしまうと、視聴者にＣＭの内容が伝わらないというよ
うな問題も生じうるため、スポンサーにとっては大きな問題である。
【特許文献１】特開２００５‐３４１５４４公報（６頁、図１）
【発明の開示】
【発明が解決しようとする課題】
【０００８】
上述したように、従来技術では、放送された映像データとともに、ネットワークを介し
て接続された通信端末から通知されるメッセージを表示する場合に、メッセージの表示の
制御を映像データの送信側が行うことができなかった。
【０００９】
本発明は、上記従来技術の問題点を解決するためになされたものであって、ネットワー
クを介して接続された通信端末から送信されるメッセージを放送局から送信される映像デ
ータとともに表示するための表示条件を、映像データの送信側が設定することを可能とす
る映像表示装置、映像表示方法および映像表示プログラムを提供することを目的とする。
【課題を解決するための手段】
【００１０】
上記目的を達成するために、本発明の映像表示装置は、放送局から送信される映像デー
タを、ネットワークを介して接続された通信端末から送信されるメッセージとともに表示
可能な映像表示装置であって、映像データと、その映像データとともに表示するメッセー
ジの表示条件を示す第１の付加情報とを含む放送データを受信する第１の受信手段と、前
記第１の受信手段で受信した映像データを表示する表示手段と、ネットワークを介して接
続された通信端末から送信されるメッセージを受信する第２の受信手段と、前記第２の受
信手段で受信したメッセージを前記第１の付加情報が示す表示条件にしたがって前記映像
データとともに前記表示手段に表示するように制御する制御手段とを備えることを特徴と
する。
【００１１】
また、本発明の映像表示方法は、放送局から送信される映像データを、ネットワークを
介して接続された通信端末から送信されるメッセージとともに表示可能な映像表示装置の
映像表示方法であって、映像データと、その映像データとともに表示するメッセージの表
示条件を示す第１の付加情報とを含む放送データを受信し、前記受信した映像データを表
示し、ネットワークを介して接続された通信端末から送信されるメッセージを受信し、前
記受信したメッセージを前記第１の付加情報が示す表示条件にしたがって前記映像データ
とともに表示することを特徴とする。
【００１２】
また、本発明の映像表示プログラムは、コンピュータに、放送局から送信される映像デ
ータを、ネットワークを介して接続された通信端末から送信されるメッセージとともに受
信して表示させる機能を実現させる映像表示プログラムであって、映像データと、その映
像データとともに表示するメッセージの表示条件を示す第１の付加情報とを含む放送デー
タを受信させる機能と、前記受信した映像データを表示させる機能と、ネットワークを介
して接続された通信端末から送信されるメッセージを受信させる機能と、前記受信したメ
ッセージを前記第１の付加情報が示す表示条件にしたがって前記映像データとともに表示
させる機能とを実現させることを特徴とする。
【発明の効果】
【００１３】
本発明によれば、映像データと、その映像データとともに表示するメッセージの表示条
件とを放送データとして受信し、その表示条件を用いて通信端末から送信されるメッセー
ジの表示を制御するので、映像データの送信側で、ネットワークを介して接続された通信
端末から送信されるメッセージの表示を制御することが可能となる。
【発明を実施するための最良の形態】
【００１４】
以下、本発明の実施形態について説明する。
【００１５】
（第１の実施形態）
図１は、本発明の第１の実施形態に係わる映像表示装置を示すブロック図である。また
、図２は、本発明の第１の実施形態に関わる映像表示装置を含む放送システム全体の構成
を示す図である。
【００１６】
まず、図２を用いて、本発明の第１の実施形態に関わる映像表示装置を含む放送システ
ム全体の構成について簡単に説明する。
【００１７】
本発明の第１の実施形態に関わる映像表示装置１００は、放送局５００から送信される
放送データ（放送コンテンツ）を受信して表示する機能を有するテレビである。ここでは
、放送データは、放送局から地上デジタル放送（地上波デジタル放送）によって送信され
るものとし、映像表示装置１００は、地上デジタル放送を受信して表示可能なデジタルテ
レビであるものとする。
【００１８】
放送局から送信される放送データには、テレビ番組などの映像データの他に、ＢＭＬ（
Ｂｒｏａｄｃａｓｔ  Ｍａｒｋｕｐ  Ｌａｎｇｕａｇｅ：放送コンテンツ記述言語）のよ
うなデータ放送向けのページ記述言語によって記述された付加情報が、ＢＭＬ文書として
含まれている。ＢＭＬ文書には、映像データが表示された画面の、どこに、何を、いつ表
示するか、といった空間・時間制御指示が、ＨＴＭＬ（Ｈｙｐｅｒ  Ｔｅｘｔ  Ｍａｒｋ
ｕｐ  Ｌａｎｇｕａｇｅ）文書などの表現体裁（レイアウト）を定義する規格であるＣＳ
Ｓ（Ｃａｓｃａｄｉｎｇ  Ｓｔｙｌｅ  Ｓｈｅｅｔｓ）により記述されている。あるいは
、また、スクリプト処理記述が、Ｊａｖａ（登録商標）Ｓｃｒｉｐｔの標準規格であるＥ
ＣＭＡＳｃｒｉｐｔにより記述されている。
【００１９】
なお、映像表示装置１００に表示される映像データとともに表示するメッセージの表示
条件も、ＢＭＬ文書として記述され、放送データとともに放送局から送信される。ここで
メッセージの表示条件とは、映像データとともに表示可能なメッセージの種別（メッセー
ジを送信する通信機器の種類やメッセージの内容など）に関する条件や、映像データとと
もにメッセージを表示する場合に、どのようなデザイン（表示位置、色、大きさなど）で
表示するか、などといった表示方法に関する条件をいう。表示条件は、メッセージの種別
ごとに設定される。詳細は後述する。
【００２０】
このように地上デジタル放送では、放送データは、映像データのようなメディアデータ
とＢＭＬ文書とが多重化され、一定の時間周期で同じデータが繰り返し放送される伝送方
式（カルーセル伝送）により送信される。映像表示装置１００のようなデジタルテレビは
、放送局から送信される放送データを常に受信し続けるが、ユーザのチャネル変更などを
契機として、放送データから希望のコンテンツを取り出す。例えば、放送データが１９時
から２０時の間のチャネル「１」の番組として送信されていた場合には、ユーザが１９時
から２０時の間にチャネル「１」を選択すると、その放送データに含まれるＢＭＬ文書の
解釈実行が開始される。
【００２１】
映像表示装置１００は、ホームネットワーク２００を介して、洗濯機３００やガスセン
サー４００と接続されている。映像表示装置１００、洗濯機３００、および、ガスセンサ
ー４００は、それぞれネットワークを介して通信する機能を有する。通信のためのネット
ワークプロトコルとしては、例えば、家庭内のパソコンや周辺機器、ＡＶ機器、電話、家
電製品などの機器を、ネットワークを通じて接続し、相互に機能（サービス）を提供しあ
うための技術仕様であるＵＰｎＰを用いることができる。
【００２２】
ここでは、洗濯機３００やガスセンサー４００はＵＰｎＰ対応機器であり、ＵＰｎＰサ
ービスとして、「洗濯終了」や「ガス漏れ」といったメッセージを、ネットワーク２００
を介して、映像表示装置１００をはじめとする他の通信機器へ送信する機能を有する。映
像表示装置１００は、洗濯機３００やガスセンサー４００から送信されるメッセージを受
信し、映像データとともに画面に表示することで、これらのメッセージをユーザに通知す
る。
【００２３】
次に、図１を用いて、本発明の第１の実施形態に関わる映像表示装置１００の詳細な構
成について説明する。
【００２４】
この第１の実施形態に係わる映像表示装置１００は、放送局から送信される放送データ
（放送コンテンツ）を受信する放送受信部１０１と、放送受信部１０１で受信した放送デ
ータに含まれる映像データを表示する映像表示部１０２と、ネットワークを介して接続さ
れた通信端末から送信されるメッセージを受信するメッセージ受信部１０３と、メッセー
ジ受信部１０３で受信したメッセージを、表示条件にしたがって、映像データとともに映
像表示部１０２に表示する制御を行う表示制御部１０４と、メッセージ受信部１０３で受
信したメッセージを記憶するメッセージ記憶部１０５とを備えている。
【００２５】
次に、図１および図３を用いて、映像表示装置１００の動作について説明する。なお、
図３は、本発明の第１の実施形態に関わる映像表示装置１００の動作を示すフローチャー
トである。
【００２６】
放送受信部１０１は、放送局５００から送信される放送データを受信する（ステップＳ
１０１）。上述したように、放送局５００から送信される放送データには、映像データと
ＢＭＬ文書（付加情報）が多重化されて含まれている。
【００２７】
放送受信部１０１が放送局５００から送信される放送データを受信するタイミングは、
テレビの電源をＯＮにした場合や、チャネルを変更した場合などである。例えば、映像表
示部１００の電源をＯＮにした場合には、そのとき設定されているチャネルの放送データ
が放送受信部１０１で受信される。
【００２８】
放送受信部１０１で受信された放送データに含まれる付加情報には、映像データととも
に表示するメッセージの表示条件が付加情報として含まれる。
【００２９】
図４は、表示条件の一例である。図４に示す例では、表示条件は、映像データに含まれ
るシーン（放送状態）ごとに設定されている。なお、このような映像データのシーンを特
定する情報も、表示条件とともにＢＭＬ文書で記述された付加情報として放送データに含
まれている。
【００３０】
すなわち、図４に示す例では、映像データのシーンは、映像データを時間で区分するこ
とで設定され、映像データに含まれるテレビ番組の開始時刻から４５分までが「放送状態
１」、４５分から番組の終了時刻までが「放送状態２」として設定される。そして、「放
送状態１」では、「洗濯機」および「ガスセンサー」から送信されるメッセージのいずれ
も、画面中央に大きく表示するように表示条件が設定されている。一方、「放送状態２」
では、「ガスセンサー」から送信されるメッセージは画面中央に大きく表示し、「洗濯機
」から送信されるメッセージは表示しないように表示条件が設定されている。
【００３１】
このようにシーンごとにメッセージの種別に応じて表示条件を変えることにより、例え
ば、一般にドラマなどで最も盛り上がるシーンとなる放送開始から４５分後以降に、洗濯
機３００からの「洗濯終了」を知らせるメッセージが画面中央に表示され、ドラマの雰囲
気が壊されることを防ぐことが可能になる。また、一方で、ガスセンサー４００からの「
ガス漏れ」を知らせるメッセージは常に画面中央に表示されることになるため、緊急性の
高いメッセージについても、確実にユーザに通知することが可能となる。
【００３２】
なお、図４の例では、「洗濯機」と「ガスセンサー」からのメッセージに対する表示条
件のみ示したが、その他の機器からのメッセージ（例えば、「電子レンジ」からの「調理
終了」通知メッセージや「インターホン」からの「呼び出し」通知メッセージなど）を含
むものであってもよい。放送データの送信元である放送局側では、あらかじめ想定されう
るメッセージについて表示条件を設定して放送データとともに送信すればよい。
【００３３】
なお、放送受信部１０１で受信した放送データに含まれる表示条件は、表示制御部１０
４に送られて記憶される。表示制御部１０４は、このようにして記憶された表示条件を読
み出して映像データとともにメッセージを表示するか否かを判定し、メッセージの表示方
法を特定する。
【００３４】
映像表示部１０２は、放送受信部１０１で受信された放送データに含まれる映像データ
を表示する（ステップＳ１０２）。映像表示装置１００のユーザは、映像表示部１０２に
表示される映像データにより、テレビ番組などを視聴する。
【００３５】
次に、ホームネットワーク２００上の洗濯機３００やガスセンサー４００からメッセー
ジが通知されてきた場合の動作について説明する。
【００３６】
メッセージ受信部１０３は、ホームネットワーク２００上の洗濯機３００やガスセンサ
ー４００から送信されたメッセージを受信する（ステップＳ１０３）。上述したように洗
濯機３００やガスセンサー４００はＵＰｎＰ対応機器であり、ＵＰｎＰ通信により、機器
名（ＦｒｉｅｎｄｌｙＮａｍｅ）や機器の種別（ＤｅｖｉｃｅＴｙｐｅ）を通知すること
ができる。メッセージ受信部１０３は、このようなＵＰｎＰ対応機器である洗濯機３００
やガスセンサー４００から非同期的に送信されるメッセージを受信する。メッセージは、
ＵＰｎＰの仕様にしたがって、ＨＴＴＰ（Ｈｙｐｅｒ  Ｔｅｘｔ  Ｔｒａｎｓｐｏｒｔ  
Ｐｒｏｔｏｃｏｌ）形式のヘッダおよびＸＭＬ（Ｅｘｔｅｎｓｉｂｌｅ  Ｍａｒｋｕｐ  
Ｌａｎｇｕａｇｅ）形式のテキストで構成されている。
【００３７】
表示制御部１０４は、メッセージ受信部１０３がメッセージを受信すると、まず、受信
したメッセージが、映像表示部１０２に表示された映像データとともに表示可能であるか
否かを判定する（ステップＳ１０４）。上述したように、洗濯機３００やガスセンサー４
００から送信されるメッセージは、ＨＴＴＰ形式のヘッダおよびＸＭＬ形式のテキストで
構成されており、表示制御部１０４は、このヘッダおよびテキストを解析することにより
メッセージの種別を知ることができる。
【００３８】
メッセージ受信部１０３で受信したメッセージが映像データとともに表示可能であるか
否かの判定は、受信したメッセージが映像表示部１０２に表示されている映像データに対
応する表示条件を満たすか否かを判定することによって行われる。すなわち、表示制御部
１０４は、例えば、タイマーなどを用いて映像表示部１０２に表示されている映像データ
のシーン（放送状態）を特定し、そのシーンに対応する表示条件と受信したメッセージと
を比較して、映像表示部１０２に表示されている映像データとともにメッセージを表示可
能か否か、を判定する。
【００３９】
例えば、図４に示す例において、「放送状態１」（番組の放送開始時刻から４５分まで
）の間に、メッセージ受信部１０３が「洗濯機」から「洗濯終了」のメッセージを受信し
た場合には、表示制御部１０４は、受信したメッセージは映像データとともに映像表示部
１０２に表示可能と判定する。一方、「放送状態２」（番組の放送開始後４５分から番組
終了時刻まで）の間にメッセージ受信部１０３が「洗濯機」から「洗濯終了」のメッセー
ジを受信した場合には、表示制御部１０４は、受信したメッセージは映像データとともに
映像表示部１０２に表示できないと判定する。
【００４０】
表示制御部１０４が、受信したメッセージは映像データともに映像表示部１０２に表示
可能と判定した場合には、表示制御部１０４は、そのメッセージに対応する表示方法によ
り、メッセージを映像データとともに映像表示部１０２に表示するように制御する（ステ
ップＳ１０５）。図５に、表示制御部１０４によって映像データとともに映像表示部１０
２にメッセージが表示されている場合の映像の例を示す。
【００４１】
例えば、図４に示す例では、「放送状態１」の間に洗濯機３００から「洗濯終了」のメ
ッセージの通知があった場合には、表示制御部１０４は、映像表示部１０２に表示されて
いる映像データとともに、「洗濯終了」という通知を画面の中央に大きく表示するように
表示映像を制御する。
【００４２】
表示制御部１０４が、受信したメッセージは、映像データとともに映像表示部１０２に
表示可能ではない、と判定した場合には、そのメッセージを記憶部１０５に記憶する（ス
テップＳ１０６）。
【００４３】
例えば、図４に示す例では、「放送状態２」の間に洗濯機３００から「洗濯終了」のメ
ッセージの通知があった場合には、表示制御部１０４は、メッセージを映像データととも
に映像表示部１０２に表示することなく、記憶部１０５に記憶する。このようにすること
で、一般にドラマなどで最も盛り上がるシーンとなる放送開始から４５分後以降に、洗濯
機３００からの「洗濯終了」を知らせるメッセージが画面中央に表示されるということが
なくなる。
【００４４】
なお、このように映像表示部１０２に表示されることなくメッセージ記憶部１０５に記
憶されたメッセージは、映像表示部１０２のシーンが変化した場合に表示制御部１０４に
よって読み出され、再度、表示条件が判定される。
【００４５】
表示制御部１０４は、例えば、上述したように、タイマーなどを用いて映像表示部１０
２に表示されている映像データのシーンを特定する。そして、シーンの変化があったこと
を契機に、メッセージ記憶部１０５に記憶されているメッセージを読み出す。そして、表
示制御部１０４は、メッセージ受信部１０３に新たなメッセージが通知されたときと同様
に、メッセージ記憶部１０５に記憶されているメッセージが、映像表示部１０２に表示さ
れた映像データとともに表示可能であるか否かを判定する。メッセージが映像データとと
もに表示可能である場合には、表示制御部１０４は、そのメッセージを映像データともに
映像表示部１０２に表示するように表示映像を制御する。一方、メッセージが映像データ
とともに表示可能でない場合には、表示制御部１０４は、再度、メッセージをメッセージ
記憶部１０５に記憶する。
【００４６】
図４に示す例では、上述したように、「放送状態２」の間に洗濯機３００から「洗濯終
了」を通知するメッセージが送信された場合、表示制御部１０４は、そのメッセージを映
像表示部１０２に表示することなく、メッセージ記憶部１０５に記憶する。その後、表示
制御部１０４は、例えば、タイマーなどを用いて番組が終了したこと（放送状態が変化し
たこと）を検出し、メッセージ記憶部１０５に記憶されているメッセージを読み出す。そ
して、表示制御部１０４は、読み出したメッセージが映像表示部１０２に表示された映像
データとともに表示可能であるか否かを判定する。
【００４７】
例えば、新たに放送が開始した番組についても、図４に示す表示条件と同様に、番組の
放送開始から４５分までは「洗濯機」からの「洗濯終了」を通知するメッセージを「中央
に大きく表示」するように設定されている場合には、表示制御部１０４は、読み出したメ
ッセージを映像データとともに映像表示部１０２に表示するように表示映像を制御する。
【００４８】
このようにすることで、あるタイミングで、緊急性のないメッセージとしてユーザに通
知されなかったメッセージを、別のタイミングで、ユーザに対して通知することが可能と
なり、例えば、「洗濯終了」といった事象をユーザが見逃してしまうことを防ぐことが可
能となる。
【００４９】
このように、本発明の第１の実施形態に関わる映像表示装置１００によれば、映像デー
タと、その映像データとともに表示するメッセージの表示条件とを含む放送データを受信
し、ネットワークを介して接続された通信端末からメッセージを受信した場合には、その
表示条件にしたがって映像データとメッセージとを表示できるようにしているので、放送
局や放送コンテンツ製作者といった放送データの送信側においてメッセージの表示条件を
設定することが可能となる。
【００５０】
なお、上述した実施形態では、図４に示すように、「放送状態２」の間に「洗濯機」か
ら「洗濯終了」を通知するメッセージを受信した場合には、表示制御部１０４は、そのメ
ッセージを映像表示部１０２に表示せず、メッセージ記憶部１０５に記憶するようにして
いたが、図６に示すように、例えば、メッセージを「画面の右下に小さく表示」するよう
に表示条件を設定してもよい。このように、映像データのシーンにあわせてメッセージの
表示位置などの表示方法を変えることによって、例えば、映像データの特定のシーンにお
いて、番組の雰囲気を損なったり、メッセージによって映像データが隠されたり、といっ
たことが発生することを防ぐことが可能になる。
【００５１】
なお、この映像表示装置１００は、例えば、汎用のコンピュータ装置を基本ハードウェ
アとして用いることでも実現することが可能である。すなわち、表示制御部１０４は、上
記のコンピュータ装置に搭載されたプロセッサにプログラムを実行させることにより実現
することができる。このとき、映像表示装置１００は、上記のプログラムをコンピュータ
装置にあらかじめインストールすることで実現してもよいし、ＣＤ−ＲＯＭなどの記憶媒
体に記憶して、あるいはネットワークを介して上記のプログラムを配布して、このプログ
ラムをコンピュータ装置に適宜インストールすることで実現してもよい。また、メッセー
ジ記憶部１０５は、上記のコンピュータ装置に内蔵あるいは外付けされたメモリ、ハード
ディスクもしくはＣＤ−Ｒ、ＣＤ−ＲＷ、ＤＶＤ−ＲＡＭ、ＤＶＤ−Ｒなどの記憶媒体な
どを適宜利用して実現することができる。また、映像表示部１０２は、上記コンピュータ
装置に内蔵あるいは外付けされた液晶ディスプレイ、ＣＲＴディスプレイなどの映像表示
装置を適宜利用して実現することができる。
【００５２】
（第２の実施形態）
本発明の第２の実施形態では、放送局５００から汎用イベントメッセージと呼ばれるイ
ベント発生通知が送信された場合の映像表示装置１００の動作について説明する。
【００５３】
ここで、汎用イベントメッセージとは、地上デジタル放送において、放送局から非同期
的に送信されるメッセージデータであり、例えば、図７に示すように、ある番組の途中に
ニュース速報が挿入される場合などに、ニュース速報の開始をデジタルテレビに伝えるた
めに通知される。汎用イベントメッセージは、メッセージＩＤと呼ばれる識別情報を与え
られている。汎用イベントメッセージを受信した映像表示装置は、このメッセージＩＤに
よって、個々の汎用イベントメッセージの内容を特定、区別することができる。
【００５４】
このように放送局から汎用イベントメッセージが送信される場合の表示条件は、図８に
示すように、映像データのシーンごとに設定される表示条件とともに、放送データに付加
情報として含まれる。図８に示す例では、映像データのシーンごとに設定される表示条件
とともに、「放送状態３」として「ニュース速報放映中」が設定され、「放送状態３」に
おけるメッセージの表示条件として、「洗濯機」からの「洗濯終了」を通知するメッセー
ジは表示せず、「ガスセンサー」からの「ガス漏れ」を通知するメッセージは、画面中央
に大きく表示するように設定されている。表示制御部１０４は、「放送状態３」の間にメ
ッセージを受信した場合には、このような表示条件にしたがって、メッセージを映像表示
部１０２に表示するように（あるいは、表示しないように）表示映像を制御する。
【００５５】
なお、表示制御部１０４における「放送状態３」の「ニュース速報放映中」の特定は、
例えば、放送局からの汎用イベントメッセージを放送受信部１０１が受信した時刻から、
あらかじめ定めた一定の時間が経過するまでの間を「ニュース速報放映中」として特定す
ることによって行えばよい。例えば、番組の途中に挿入されるニュース速報は、一般に数
分程度であることが多いので、表示制御部１０４は、汎用イベントメッセージを放送受信
部１０１が受信してから１０分間を「放送状態３」として特定すればよい。
【００５６】
あるいは、ニュース速報の終了も汎用イベントメッセージにより通知される場合には、
「ニュース速報開始」を表す汎用イベントメッセージが放送受信部１０１で受信されてか
ら、次に放送受信部１０１が、「ニュース速報終了」を表す汎用イベントメッセージを受
信するまでの間の時間を「ニュース速報放映中」として「放送状態３」と特定してもよい
。なお、汎用イベントメッセージの特定は、上述したように、汎用イベントメッセージに
与えられたメッセージＩＤを用いて行うことができる。
【００５７】
このようにすることで、本発明に関わる映像表示装置１００は、放送局から送信される
汎用イベントメッセージを受信した場合にも、放送データの送信側が設定する表示条件に
したがって、ホームネットワーク上の通信機器から送信されるメッセージの表示を制御す
ることが可能となる。
【００５８】
なお、本発明は上記実施形態そのままに限定されるものではなく、実施段階ではその要
旨を逸脱しない範囲で構成要素を変形して具体化できる。また、上記実施形態に開示され
ている複数の構成要素の適宜な組み合わせにより、種々の発明を形成できる。例えば、実
施形態に示される全構成要素から幾つかの構成要素を削除してもよい。さらに、異なる実
施形態にわたる構成要素を適宜組み合わせてもよい。
【図面の簡単な説明】
【００５９】
【図１】本発明の第１の実施形態に係わる映像表示装置の構成を示すブロック図。
【図２】本発明の第１の実施形態に係わる映像表示装置を含む放送システムの構成を示す図。
【図３】本発明の第１の実施形態に係わる映像表示装置の動作を示すフローチャート。
【図４】本発明の第１の実施形態の表示条件の一例を示す図。
【図５】本発明の第１の実施形態の映像の表示例を示す図。
【図６】本発明の第１の実施形態の表示条件の一例を示す図。
【図７】本発明の第２の実施形態の表示条件の一例を示す図。
【図８】本発明の第２の実施形態の汎用イベントメッセージの一例を示す図。
【符号の説明】
【００６０】
１００・・・映像表示装置
１０１・・・放送受信部
１０２・・・映像表示部
１０３・・・メッセージ受信部
１０４・・・表示制御部
１０５・・・メッセージ記憶部
２００・・・ホームネットワーク
３００・・・ＵＰｎＰ対応洗濯機
４００・・・ＵＰｎＰガスセンサー
５００・・・放送局
【図１】
2008072380.tif 000003
【図２】
2008072380.tif 000004
【図３】
2008072380.tif 000005
【図４】
2008072380.tif 000006
【図５】
2008072380.tif 000007
【図６】
2008072380.tif 000008
【図７】
2008072380.tif 000009
【図８】
2008072380.tif 000010